(57)【要約】【課題】    浮屋根に貫通部を設けずに、浮屋根を支持する複数の支柱を底板上に設け、当該支柱が腐食、損傷等した場合に底板を損傷することなく容易に支柱の取替を可能とする浮屋根支持受台構造を提供する。【解決手段】  浮屋根式タンク１の底板２上に設けて浮屋根４を支持する浮屋根支持受台構造であって、底板２上に載置し、浮屋根４の下面に当接して浮屋根４を支持する柱状の支持部材５と、当該支持部材５を着脱可能な一対の半割りスリーブ管で嵌合して底板２上に支持する受台部材６とを備えていることを特徴とする。【選択図】  図２
2016033025.tif 000002
【特許請求の範囲】
【請求項１】
浮屋根式タンク１の底板２上に設けて浮屋根４を支持する浮屋根支持受台構造であって、底板２上に載置し、浮屋根４の下面に当接して浮屋根４を支持する柱状の支持部材５と、当該支持部材５を着脱可能な一対の半割りスリーブ管で嵌合して底板２上に支持する受台部材６とを備えていることを特徴とする浮屋根支持受台構造。
【請求項２】
前記支持部材５及び又は前記受台部材６に、当該支持部材５と当該受台部材６を着脱可能に連結して一体構造とする支柱受台連結部材１２（１２Ａ、１２Ｂ、１２Ｃ）を備えていることを特徴とする請求項１記載の浮屋根支持受台構造。
【請求項３】
前記支持部材５を、底板２上に載置する支柱５ａと、当該支柱５ａ上端部に水平に固定する周縁が湾曲した逆受皿状の受板５ｂとで構成することを特徴とする請求項１または２記載の浮屋根支持受台構造。
【請求項４】
前記受台部材６を、底板２上の当板２ａ上面に底部外周縁１１を固定する固定半割りスリーブ管６ａと、当該固定半割りスリーブ管６ａと対を成す着脱構造の押え半割りスリーブ管６ｂとで構成するとともに、これら一対の半割りスリーブ管を当該半割りスリーブ管の鍔部７ａ、７ｂのスリーブ連結部８ａ、８ｂで着脱可能に連結して構成したことを特徴とする請求項１または２記載の浮屋根支持受台構造。
【発明の詳細な説明】
【技術分野】
【０００１】
この発明は、浮屋根式タンクの浮屋根を支持するために底板上に設ける浮屋根支持受台構造に関するものである。
【背景技術】
【０００２】
図９に一般的な浮屋根式タンク１の構造を示す。２は底板、３は側板、４は浮屋根、２５はデッキポーストである。
実線は浮屋根４が貯蔵液体上に浮上した状態を示し、破線は浮屋根４が最降下し、複数のデッキポースト２５によって浮屋根４を支持している状態を示す。
図１０に図９のＢ部、デッキポースト２５の近傍を拡大して示す。２ａは底板２上の当板、４ａは浮屋根４のデッキ板、４ｂはデッキポースト２５の補強板である。
デッキポースト２５は、支柱２５ａとスリーブ管２５ｂと連結締材２５ｃとフック２５ｄとからなり、スリーブ管２５ｂはデッキ板４ａと補強板４ｂに固定されている。
支柱２５ａをスリーブ管２５ｂ内に挿通して連結締材２５ｃで連結し、浮屋根４の最降下時に、支柱２５ａの下端縁を底板２上の当板２ａに載置して浮屋根４の荷重を支える。
【０００３】
上記のような浮屋根式タンクの浮屋根支柱の技術として、例えば、従来例の特許文献１の実開昭５５−１０８０８３号公報に開示された「浮屋根を有する貯油タンク」の考案がある。この考案は、タンク底板の適宜の個所に浮屋根デッキを支えるための所要長さのサポートを必要な個数、溶接により取り付けている。このサポートは、補強板を介してタンク底板上に取り付けてあり、サポートの頂部に当て板を供えたものである。
【０００４】
特許文献２の実開昭６２−１６５２９２号公報「油タンクの浮屋根構造」の考案がある。この考案は、浮屋根を下降位置で支持するとともに油の動揺を抑制するルーフサポートを浮屋根の下面に取付けたものである。
【０００５】
特許文献３の実開昭６２−１７１４９５号公報「浮屋根式タンクの浮屋根支持台」の考案がある。この考案は、浮屋根を最下降位置で支持する支柱を底板上に固設するとともに、この支柱に浮屋根を作業位置に押上げた状態で支持し得る押上装置を装着する支持板を設けたものである。
【０００６】
特許文献４の特開２００９−１２７３３１号公報「浮屋根式貯水槽」の発明がある。この発明は、底盤から上方に向かって延びるとともに、内部の水が無い時に浮屋根を支持して前記浮屋根と前記底盤との間に空間を形成可能とする支柱を備える。この支柱はスロッシング低減部材を兼ね、上端に板状フランジを備えたものである。
【先行技術文献】
【特許文献】
【０００７】
【特許文献１】実開昭５５−１０８０８３号公報
【特許文献２】実開昭６２−１６５２９２号公報
【特許文献３】実開昭６２−１７１４９５号公報
【特許文献４】特開２００９−１２７３３１号公報
【発明の概要】
【発明が解決しようとする課題】
【０００８】
図９に示すように、浮屋根式タンク１のデッキポースト２５は、浮屋根４を貫通して複数本取付けており、複数のデッキポースト２５とスリーブ管２５ｂ等の取付部材により浮屋根４の重量が増加している。
また、図１０に示すように、支柱２５ａはデッキ板４ａを貫通して溶接固定したスリーブ管２５ｂ内を挿通して取付けているため、タンク内のベーパーが浮屋根４の上に漏れる可能性がある。さらに、長尺の支柱２５ａを吊上げてスリーブ管２５ｂ内へ挿脱する作業が大変である。
【０００９】
特許文献１の「浮屋根を有する貯油タンク」の考案は、サポートを底板上の補強板に溶接で取り付けているため、支柱を取替える際に手間を要し、取替時に底板を損傷する可能性がある。また、サポート頂部の当て板は、地震時のデッキ板裏面の損傷を考慮した構造ではない。
【００１０】
特許文献２の「油タンクの浮屋根構造」の考案は、浮屋根の下面のルーフサポートの取替作業が困難であり、取替時に浮屋根を損傷する可能性がある。また、浮屋根とルーフサポートを一体化した構造であるため、浮屋根の浮力確保が難しく、シングルデッキの浮屋根に適用することが困難である。
【００１１】
特許文献３の「浮屋根式タンクの浮屋根支持台」の考案は、支柱を底板上に固設しているため、支柱を取替える際に手間を要し、取替時に底板を損傷する可能性がある。また、支柱上部の支持板に押上装置を装着しており、構造が異なる。
【００１２】
特許文献４の「浮屋根式貯水槽」の発明は、支柱の底盤への固定方法や板状フランジの形状が具体的に記載されていない。また、水を貯蔵する施設に設ける支柱構造である。
【００１３】
この発明の目的は、上述のような従来技術が有する問題点に鑑みてなされたもので、浮屋根に貫通部を設けずに、浮屋根を支持する複数の支柱を底板上に設け、当該支柱が腐食、損傷等した場合に底板を損傷することなく容易に支柱の取替を可能とする浮屋根支持受台構造を提供する。
【課題を解決するための手段】
【００１４】
請求項１記載の浮屋根支持受台構造は、浮屋根式タンク１の底板２上に設けて浮屋根４を支持する浮屋根支持受台構造であって、底板２上に載置し、浮屋根４の下面に当接して浮屋根４を支持する柱状の支持部材５と、当該支持部材５を着脱可能な一対の半割りスリーブ管で嵌合して底板２上に支持する受台部材６とを備えていることを特徴とする。
【００１５】
請求項２記載の浮屋根支持受台構造は、前記支持部材５及び又は前記受台部材６に、当該支持部材５と当該受台部材６を着脱可能に連結して一体構造とする支柱受台連結部材１２（１２Ａ、１２Ｂ、１２Ｃ）を備えていることを特徴とする。
【００１６】
請求項３記載の浮屋根支持受台構造は、前記支持部材５を、底板２上に載置する支柱５ａと、当該支柱５ａ上端部に水平に固定する周縁が湾曲した逆受皿状の受板５ｂとで構成することを特徴とする。
【００１７】
請求項４記載の浮屋根支持受台構造は、前記受台部材６を、底板２上の当板２ａ上面に底部外周縁１１を固定する固定半割りスリーブ管６ａと、当該固定半割りスリーブ管６ａと対を成す着脱構造の押え半割りスリーブ管６ｂとで構成するとともに、これら一対の半割りスリーブ管を当該半割りスリーブ管の鍔部７ａ、７ｂのスリーブ連結部８ａ、８ｂで着脱可能に連結して構成したことを特徴とする。
【発明の効果】
【００１８】
請求項１記載の浮屋根支持受台構造は、浮屋根式タンク１の底板２上に設けて浮屋根４を支持する浮屋根支持受台構造であって、底板２上に載置し、浮屋根４の下面に当接して浮屋根４を支持する柱状の支持部材５と、当該支持部材５を着脱可能な一対の半割りスリーブ管で嵌合して底板２上に支持する受台部材６とを備えているので、
浮屋根４に支持部材５を取り付けないことにより、浮屋根４の重量が軽減されて浮屋根４の浮力が向上し、さらに浮屋根４に貫通部を設けないことにより、浮屋根４から大気中へ放散されるベーパーの量が抑制される。
また、前記浮屋根支持受台構造は、浮屋根４を支持する支持部材５を受台部材６から着脱可能な構造としているため、浮屋根式タンク１のタンク開放点検において、支持部材５に腐食や損傷が発見された場合に交換や補修をすることが容易となる。
【００１９】
請求項２記載の浮屋根支持受台構造は、前記支持部材５及び又は前記受台部材６に、当該支持部材５と当該受台部材６を着脱可能に連結して一体構造とする支柱受台連結部材１２（１２Ａ、１２Ｂ、１２Ｃ）を備えているので、
支持部材５と受台部材６の一体化が図られて、長期的に支持部材５を底板２上に安定して支持することが可能となり、地震荷重等を受けた場合に傾倒し難い構造となる。
【００２０】
請求項３記載の浮屋根支持受台構造は、前記支持部材５を、底板２上に載置する支柱５ａと、当該支柱５ａ上端部に水平に固定する周縁が湾曲した逆受皿状の受板５ｂとで構成するので、
浮屋根４を支持部材５上に載置する、所謂着底する過程において、支持部材５上部と浮屋根４の下面が滑らかに接触し、また、万が一風や地震等で浮屋根４が揺動あるいは支持部材５が浮屋根４に当接等した場合に、受板５ｂの周縁で浮屋根４を損傷する可能性が少なくなる。
【００２１】
請求項４記載の浮屋根支持受台構造は、前記受台部材６を、底板２上の当板２ａ上面に底部外周縁１１を固定する固定半割りスリーブ管６ａと、当該固定半割りスリーブ管６ａと対を成す着脱構造の押え半割りスリーブ管６ｂとで構成するとともに、これら一対の半割りスリーブ管を当該半割りスリーブ管の鍔部７ａ、７ｂのスリーブ連結部８ａ、８ｂで着脱可能に連結して構成したので、
支持部材５は、スリーブ連結部８ａ、８ｂのボルト、ピン等の締結部材を挿脱することにより、受台部材６から容易に着脱可能となり、浮屋根式タンク１のタンク開放点検において、支持部材５に腐食や損傷等が発見された場合に交換や補修をすることが容易となる。
また、支持部材５を着脱することが容易な構造のため、例えば、底板２上に固定する固定半割りスリーブ管６ａのみに耐食性の高い材料を使用して、押え半割りスリーブ管６ｂおよび支持部材５について、開放点検毎に取替える前提で安価な材料を使用すれば、浮屋根４の支持受台構造全体に掛かるコストを削減することが可能となる。
【図面の簡単な説明】
【００２２】
【図１】この発明に係る浮屋根と浮屋根支持受台構造の関係を示す全体正面図である。
【図２】図１のＡ部を拡大して示す正面図である。
【図３】浮屋根支持受台構造の第１の実施形態例で連結締材による支柱受台連結構造を分解して示す斜視説明図である。
【図４】浮屋根支持受台構造の第２の実施形態例で連結鍔板による支柱受台連結構造を分解して示す斜視説明図である。
【図５】浮屋根支持受台構造の第３の実施形態例で連結管片による支柱受台連結構造を分解して示す斜視説明図である。
【図６】浮屋根支持受台構造の第４の実施形態例で円筒台座による支持構造を分解して示す斜視説明図である。
【図７】浮屋根支持受台構造の第５の実施形態例で傾斜枠体構造を示す正面図である。
【図８】図７の傾斜枠体の構造を分解して示す斜視説明図である。
【図９】従来の浮屋根式タンクの浮屋根とデッキポーストの関係を示す全体正面図である。
【図１０】図９のＢ部を拡大して示す正面図である。
【発明を実施するための形態】
【００２３】
この発明に係る浮屋根支持受台構造の実施形態を、図１乃至図８に基づいて説明する。
図１は浮屋根と浮屋根支持受台構造の関係を示す全体図で、１は浮屋根式タンク、２は底板、３は側板、４は浮屋根である。
浮屋根４を支持する浮屋根支持受台構造は、浮屋根４の下面に当接して支持する支持部材５と、この支持部材５を底板２上に安定設置する受台部材６とで形成し、この支持部材５及び受台部材６は、浮屋根４の着底時に浮屋根４の荷重を支えるように、底板２上に複数個立設する。
実線は浮屋根式タンク１で液体を貯蔵して浮屋根４が浮上している状態を示し、破線は浮屋根４を底板２上に設けた複数の支持部材５上に載置している状態を示す。
【００２４】
支持部材５及び受台部材６は、浮屋根４を貫通する従来例の図１０に示すような長尺のデッキポースト２５と異なり、デッキ板４ａに貫通部を設けずに底板２上に設置するので、従来例と比べて浮屋根４全体の重量が軽減されると共に、貫通部隙間から浮屋根式タンク１の貯蔵液のベーパーが大気中へ放散することがなくなる。
従来のデッキ板４ａを貫通して設けるデッキポースト２５に比べて、浮屋根４を支持する支柱の長さが短くなり、浮屋根支持構造を構成する部材、設備費の削減をすることが可能になると共に、デッキ板に貫通部を設ける作業工程がなくなり、施工費を削減することが可能となる。
【００２５】
図２は、図１のＡ部、浮屋根支持受台構造を拡大して示す正面図である。
浮屋根４を支持する支持部材５は、直立する円筒状の支柱５ａと、その支柱５ａ上端縁に水平に固定した逆受皿状の受板５ｂとからなり、この上端部受板５ｂを周縁を湾曲させた形状とすることにより、
浮屋根式タンク１の貯蔵液を抜いて、浮屋根４を支持部材５を介して底板２上に載置する、所謂着底する過程において、支持部材５上部と浮屋根４の下面が滑らかに当接するので、従来の支柱上部の当板を設ける場合と比較して受板５ｂの周縁で浮屋根４を損傷する可能性が少なくなる。
また、浮屋根式タンク１の貯蔵液が少量で浮屋根４と支持部材５が近接している場合に、
万が一強風や地震等で浮屋根４が揺動して支持部材５に接触、あるいは支持部材５が浮屋根４に当接等しても、受板５ｂの周縁で浮屋根４を損傷する可能性が少なくなる。
受台部材６は、底板２上の当板２ａの上面に直立し受け台となる固定半割りスリーブ管  ６ａと押え半割りスリーブ管６ｂで形成され、固定半割りスリーブ管６ａ、押え半割りスリーブ管６ｂはそれぞれ鍔部７（７ａ、７ｂ）を有し、当該鍔部７ａ、７ｂには、ボルトやピン等の締結部材を挿通し、固定半割りスリーブ管６ａと押え半割りスリーブ管６ｂの相互を連結することが可能なスリーブ連結部８（８ａ、８ｂ）を有す。
支持部材５に液抜き口１０、固定半割りスリーブ管６ａに液抜き口１０ａを設け、支持部材５管内および支持部材５と受台部材６間の隙間に液が滞留しないようにする。
支持部材５を受台部材６で底板２上に固定するには、固定半割りスリーブ管６ａと押え半割りスリーブ管６ｂ間に支持部材５を嵌合し、鍔部７ａ、７ｂのスリーブ連結部８ａ、８ｂに締結部材を挿通して、固定半割りスリーブ管６ａと押え半割りスリーブ管６ｂ相互を連結する。
また、支持部材５を受台部材６から取り外す場合は、上記と逆の操作を行い、締結部材を抜いて、押え半割りスリーブ管６ｂを固定半割りスリーブ管６ａから取り外して、支持部材５を取り外す。
上述した通り、スリーブ連結部８ａ、８ｂに締結部材を挿通するだけで、容易に受台部材６から支持部材５を取り外せるので、支持部材５の支柱５ａが腐食や損傷等した場合に、従来の底板または当板上に溶接固定された支柱のように、溶接部を研削して支柱を取り外す必要がなくなり、底板２を損傷せずに支柱５ａを取替えることが可能となる。
さらに、固定半割りスリーブ管６ａに支柱連結部９ａ、押え半割りスリーブ管６ｂに支柱連結部９ｂ、支持部材５の支柱５ａに支柱連結部９ｃを設け、支持部材５を固定半割りスリーブ管６ａと押え半割りスリーブ管６ｂ間に嵌合して、当該支柱受台連結部９（９ａ、９ｂ、９ｃ）にボルトやピン等の連結締材１２Ａを挿入し、相互を連結することにより、支持部材５と受台部材６の一体化が図られて、地震荷重等を受けた場合の支柱５ａの傾倒を抑制することが可能となる。
ピン連結部９ｃの連結締材１２Ａを挿入する穴は長穴とし、浮屋根式タンク１の水張試験実施後に底板２が部分的に沈下しても、支柱５ａの高さ方向の設置位置の調節が可能な構造とする。
【００２６】
図３は、浮屋根支持受台構造の第１の実施形態例で、図２に示す浮屋根支持受台構造の連結締材による支柱受台連結構造を分解して示す斜視説明図である。
予め固定半割りスリーブ管６ａの底部の鍔板の底部外周縁１１を隅肉溶接で底板２上に固定する。次いで支柱５ａの下部を矢印Ｘの方向に嵌合して直立保持し、続いて固定半割りスリーブ管６ａと対を成す押え半割りスリーブ管６ｂを矢印Ｙの方向に嵌合させて双方の鍔部７ａ、７ｂのスリーブ連結部８ａ、８ｂにボルトやピン等の締結部材を挿入して連結する。
この際に、支柱受台連結部９ａ、９ｂ、９ｃを合致させ、支柱受台連結部９ａ、９ｂ、９ｃにボルトやピン等の締結部材１２Ａを挿通して、固定半割りスリーブ管６ａと押え半割りスリーブ管６ｂおよび支柱５ａ同士を連結する。
このように、固定半割りスリーブ管６ａと押え半割りスリーブ管６ｂおよび支持部材５に締結部材１２Ａを挿通して連結する支柱受台連結部９ａ、９ｂ、９ｃを設ける程度の施工で、支持部材５と受台部材６の一体化が図られて、地震荷重等を受けた場合に支持部材５が傾倒することを抑制することが可能となる。
【００２７】
図４は、浮屋根支持受台構造の第２の実施形態例で連結鍔板による支柱受台連結構造を分解して示す斜視説明図である。
１２Ｂはスリーブ連結部８ｃを設けた連結鍔板で、支柱５ａ下部の表面対称位置に固定する。この支柱受台連結部材１２Ｂを、固定半割りスリーブ管６ａの鍔部７ａと押え半割りスリーブ管６ｂの鍔部７ｂの間に挟んで、スリーブ連結部８ａ、８ｂ、８ｃにボルトやピン等の締結部材を挿通して、固定半割りスリーブ管６ａと押え半割りスリーブ管６ｂおよび支柱５ａを連結する。
このように、支持部材５に支柱受台連結部材１２Ｂを設ける程度の施工で、支持部材５と受台部材６の一体化が図られて、地震荷重等を受けた場合の支持部材５の傾倒を抑制することが可能となる。
スリーブ連結部８ｃの締結部材を挿入する穴は長穴とし、浮屋根式タンク１の水張試験実施後に底板２が部分的に沈下しても、支柱５ａの高さ方向の設置位置の調節が可能な構造とする。
【００２８】
図５は、浮屋根支持受台構造の第３の実施形態例で連結管片による支柱受台連結構造を分解して示す斜視説明図である。
１２Ｃは連結管片で、内径が支柱５ａの外径より大きい鋼管を半割りにしたもので、予め支柱５ａに固定しておく。この支柱５ａの連結管片１２Ｃより下部を固定半割りスリーブ管６ａへ矢印Ｘの方向に押し当て設置し、押え半割りスリーブ管６ｂを矢印Ｙの方向に押し当てて支柱５ａを嵌合し、鍔部７ｂ、７ａを合致させて、スリーブ連結部８ｂ、８ａにボルトやピン等の締結部材を挿通して固定する。次いで、連結管片１２Ｃの下端周縁部と押え半割りスリーブ管６ｂ上端縁との当接箇所を溶接して固定する。
支持部材５に連結管片１２Ｃを設けて、受台部材６と溶接することにより、支持部材５と受台部材６の一体化が図られて、地震荷重等を受けた場合に傾倒することを抑制することが可能となる。
さらに、支柱５ａと押え半割りスリーブ管６ｂが一体化されるため、固定半割りスリーブ管６ａから、支柱５ａと押え半割りスリーブ管６ｂを同時に取り外すことが可能となり、支柱５ａの取替作業が容易となる。
【００２９】
図６は、浮屋根支持受台構造の第４の実施形態例で円筒台座による支持構造を分解して示す斜視説明図である。
１４は円筒台座で、予め支柱５ａ下部に固定しておく。
固定半割りスリーブ管１５ａは、底部の鍔板の底部外周縁１１を隅肉溶接で底板２上に固定する。次いで支柱５ａの下部に設置されている円筒台座１４を矢印Ｘの方向に嵌合して直立保持し、続いて固定半割りスリーブ管１５ａと対を成す押え半割りスリーブ管１５ｂを矢印Ｙの方向に嵌合させて双方の鍔部７ａ、７ｂのスリーブ連結部８ａ、８ｂにボルトやピン等の締結部材を挿通して固定する。
円筒台座１４は、支柱５ａと比較して外径が大きい管で形成されており、固定半割りスリーブ管１５ａ、押え半割りスリーブ管１５ｂで挟んで、この円筒台座１４を覆って円筒箱状にして底板２上で固定することにより、支柱５ａの下端部で浮屋根４を支持する場合と比較して、浮屋根支持構造の底板２への接触面積が大きくなり、地震荷重等を受けた場合の支持部材５の傾倒が抑制され、浮屋根４をより安定して支持することが可能となる。
【００３０】
図２から図６に示すように、スリーブ連結部８ａ、８ｂのボルトやピン等の締結部材を挿脱することにより、支持部材５を底板２上の受台部材６から容易に着脱することが可能である。そのため、従来技術の底板または当板上に溶接固定された支柱のように、溶接部を研削して支柱を取り外す必要がなくなり、タンク開放点検時に支柱５ａの腐食や損傷が発見された際に、支柱５ａを容易に交換、補修することが可能となる。
底部外周縁１１は隙間腐食を生じないように底板２の当板２ａ上に隅肉溶接で固定する。
支持部材５は着脱することが容易な構造のため、例えば、底板２上の固定半割りスリーブ管６ａのみに耐食性の高い材料を使用して、それ以外の押え半割りスリーブ管６ｂおよび支持部材５について、取替えることを前提で安価な材料を使用することにより、浮屋根４の支持構造全体に掛かるコストを削減することが可能となる。
また、支持部材５の内部と支持部材５と受台部材６の間隙に侵入する貯蔵液を排出するための液抜き口１０、１０ａを設ける。
前記液抜き口１０、１０ａの穴は、支持部材５と受台部材６を支柱受台連結部材１２で連結した際に、貯蔵液の排出が円滑になるように、取付位置を一致する。
【００３１】
図７は、浮屋根支持受台構造の第５の実施形態例で傾斜枠体構造を示す正面図である。
底板２の上面に当板２ｂを固定して、その上に支持部材５及び受台部材１６を設置する。
支持部材５は、円筒状の支柱５ａと上端部の受板５ｂとからなる。９は支柱受台連結部、１０は液抜き口、１３は傾斜枠体、１６は受台部材である。
受台部材１６の管体部を受台部材６に比べて上方に延長して形成し、この管体部の外周部から底板２上面に設けた複数の当板２ｂに至る傾斜枠体１３を設けたので、供用中の液変動や地震等が発生した場合の支柱５ａの傾倒を抑制し、浮屋根４を安定して支持することが可能となる。
【００３２】
図８は、図７の傾斜枠体の構造を分解して示す斜視説明図である。
片側の固定半割りスリーブ管１６ａと傾斜枠体１３ａを複数の底板２上の当板２ｂ上に固定し、次いで支柱５ａを矢印Ｘの方向に押し当て、続いてもう片方の押え半割りスリーブ管１６ｂと傾斜枠体１３ｂを矢印Ｙの方向に押し当て、支柱受台連結部９ａ、９ｂ、９ｃにボルトやピン等の連結締材１２Ａを挿通して固定半割りスリーブ管１６ａと押え半割りスリーブ管１６ｂおよび支柱５ａを相互に連結する。
このように、固定半割りスリーブ管１６ａと押え半割りスリーブ管１６ｂおよび支柱５ａを締結部材１２Ａで固定しているので、締結部材１２Ａを挿脱することにより、支柱５ａの着脱や取替を容易に行うことが可能となる。
【産業上の利用可能性】
【００３３】
この発明に係る浮屋根支持受台部材は、新規の貯槽のみならず、既設の浮屋根貯槽の改造にも有効利用することができる。
【符号の説明】
【００３４】
１  浮屋根式タンク
２  底板
２ａ  当板
２ｂ  当板
３  側板
４  浮屋根
４ａ  デッキ板
４ｂ  補強板
５  支持部材
５ａ  支柱
５ｂ  受板
６  受台部材
６ａ  固定半割りスリーブ管
６ｂ  押え半割りスリーブ管
７  鍔部
７ａ  鍔部
７ｂ  鍔部
８  スリーブ連結部
８ａ  スリーブ連結部
８ｂ  スリーブ連結部
８ｃ  スリーブ連結部
９  支柱受台連結部
９ａ  支柱受台連結部
９ｂ  支柱受台連結部
９ｃ  支柱受台連結部
１０    液抜き口
１０ａ  液抜き口
１１  底部外周縁
１２  支柱受台連結部材
１２Ａ  連結締材
１２Ｂ  連結鍔板
１２Ｃ  連結管片
１３  傾斜枠体  
１３ａ  傾斜枠体
１３ｂ  傾斜枠体
１４  円筒台座
１５  受台部材
１５ａ  固定半割りスリーブ管
１５ｂ  押え半割りスリーブ管
１６  受台部材
１６ａ  固定半割りスリーブ管
１６ｂ  押え半割りスリーブ管
２５  デッキポースト
２５ａ  支柱
２５ｂ  スリーブ管
２５ｃ  連結締材
２５ｄ  フック
【図１】
2016033025.tif 000003
【図２】
2016033025.tif 000004
【図３】
2016033025.tif 000005
【図４】
2016033025.tif 000006
【図５】
2016033025.tif 000007
【図６】
2016033025.tif 000008
【図７】
2016033025.tif 000009
【図８】
2016033025.tif 000010
【図９】
2016033025.tif 000011
【図１０】
2016033025.tif 000012